(57)【要約】      （修正有）【課題】魚に触れずに魚から釣り針を容易に外すことができる釣り針外し器を提供する。【解決手段】釣り上げた魚を入れる容器３０に固定可能な固定手段を有する固定体１０と、固定体と連結され、釣り糸を引掛けることができる棒状体２０と、を備える釣り針外し器であって、固定体を容器に固定した際に、棒状体は、容器の上方に位置し、棒状体の固定体側とその反対側にそれぞれ釣り糸が滑り落ちることを防止する第１の落下防止手段２１と第２の落下防止手段２２を備える。第２の落下防止手段が、棒状体の端部をＵ字状又はＶ字状に折り返してなる折り返し部であり、第１の落下防止手段が、棒状体が上方に向かって伸び、再び下方に折り返すように構成されたループ部であるのが好ましい。【選択図】図３
0003191386.tif 000002
【実用新案登録請求の範囲】
【請求項１】
釣り上げた魚を入れる容器に固定可能な固定手段を有する固定体と、
前記固定体と連結され、釣り糸を引掛けることができる棒状体と、を備える釣り針外し器であって、
前記固定体を前記容器に固定した際に、前記棒状体は、前記容器の上方に位置し、
前記棒状体の前記固定体側に、前記釣り糸が滑り落ちることを防止する第１の落下防止手段を備え、
前記棒状体の前記固定体側とは反対側に、前記釣り糸が滑り落ちることを防止する第２の落下防止手段を備えることを特徴とする、釣り針外し器。
【請求項２】
前記棒状体、前記第１の落下防止手段及び前記第２の落下防止手段が、１本の棒状部材からなることを特徴とする、請求項１に記載の釣り針外し器。
【請求項３】
前記第２の落下防止手段が、前記棒状体の端部をＵ字状又はＶ字状に折り返してなる折り返し部であることを特徴とする、請求項１又は２に記載の釣り針外し器。
【請求項４】
前記折り返し部における棒状体の端部が、上方に傾斜していることを特徴とする、請求項３に記載の釣り針外し器。
【請求項５】
前記固定体を前記容器に固定した際に、前記第２の落下防止手段が、前記容器の開口部の中心付近に位置することを特徴とする、請求項１〜４の何れか１項に記載の釣り針外し器。
【請求項６】
前記棒状体が、前記第１の落下防止手段から前記第２の落下防止手段へ向かって下方に傾斜していることを特徴とする、請求項１〜５の何れか１項に記載の釣り針外し器。
【請求項７】
前記第１の落下防止手段が、前記棒状体が上方に向かって伸び、再び下方に折り返すように構成されたループ部であることを特徴とする、請求項１〜６の何れか１項に記載の釣り針外し器。
【請求項８】
前記棒状体が、前記固定体に設けられた穴に挿通することによって、前記固定体と連結されていることを特徴とする、請求項１〜７の何れか１項に記載の釣り針外し器。
【考案の詳細な説明】
【技術分野】
【０００１】
本考案は釣った魚から釣り針を外すための、固定式釣り針外し器に関するものである。
【背景技術】
【０００２】
魚釣りは老若男女に人気のある趣味であるが、釣った魚を触ることに抵抗を示す人が多く見られる。しかし、釣った魚から釣り針を外す際には、必ず魚に触れなければならないため、特にこの過程が忌避されている。
【０００３】
このような状況に鑑みて、釣った魚に手を触れずとも簡単に釣り針を外す器具が開発されている。
特許文献１には、前記針掛け部を先端若しくは先端近傍に設けてなる柄若しくは柄に相当する部分を有する釣り針外し具が開示されている。
特許文献２には、釣り上げた魚を入れるバケツ等の容器と、該容器に取り付けられ、該容器の上方に水平方向に位置付けされた横棒、即ち、釣り糸の引っ掛け部材とからなる釣り針外し器具が開示されている。
【先行技術文献】
【特許文献】
【０００４】
【特許文献１】特許第４４３１３６７号公報
【特許文献２】特開平９−５１７４８号公報
【考案の概要】
【考案が解決しようとする課題】
【０００５】
特許文献１に開示されているようなタイプの釣り針外し器具は、先端の針掛け部を巧みに操って針を外す必要があるため、操作にはある程度の習熟が求められるという問題があった。
【０００６】
また、特許文献２に開示されているタイプの釣り針外し器は、糸を引掛けて引っ張る際に、横棒の端部から糸が滑り落ちてしまい扱いにくいという問題があった。
【０００７】
そこで本考案の解決しようとする課題は、魚に触れずに魚から釣り針を外すことができる器具であって、扱いが容易な器具を提供することにある。
【課題を解決するための手段】
【０００８】
上記課題を解決する本考案は、
釣り上げた魚を入れる容器に固定可能な固定手段を有する固定体と、
前記固定体と連結され、釣り糸を引掛けることができる棒状体と、を備える釣り針外し器であって、
前記固定体を前記容器に固定した際に、前記棒状体は、前記容器の上方に位置し、
前記棒状体の前記固定体側に、前記釣り糸が滑り落ちることを防止する第１の落下防止手段を備え、
前記棒状体の前記固定体側とは反対側に、前記釣り糸が滑り落ちることを防止する第２の落下防止手段を備えることを特徴とする、釣り針外し器である。
本考案の釣り針外し器によれば、魚に触れることなく魚から釣り針を外すことができる。また、糸を引っ張る際に、糸が棒状体の端から滑り落ちることがない。
【０００９】
本考案の好ましい形態では、前記棒状体、前記第１の落下防止手段及び前記第２の落下防止手段が、１本の棒状部材からなる。
かかる形態の本考案は、簡易な構造であるため、製造が容易である。
【００１０】
本考案の好ましい形態では、前記第２の落下防止手段が、前記棒状体の端部をＵ字状又はＶ字状に折り返してなる折り返し部である。
かかる形態の本考案は、折り返し部があることによって、糸が棒状体の端部から滑り落ちない。
また、釣り糸を折り返し部における折り返し点において引っ張ることによって、より簡単に魚から釣り針を外すことができる。
【００１１】
本考案の好ましい形態では、前記折り返し部における棒状体の端部が、上方に傾斜している。
かかる形態とすることによって、折り返し部において折り返された棒状体の端部から釣り糸が滑り落ちにくくなる。
【００１２】
本考案の好ましい形態では、前記固定体を前記容器に固定した際に、前記第２の落下防止手段が、前記容器の開口部の中心付近に位置する。
かかる形態とすることによって、折り返し部において釣り糸を引っ張って、魚から釣り針を外せば、魚が容器の中央部に落下するため、魚が容器外へ落ちることがない。
【００１３】
本考案の好ましい形態では、前記棒状体が、前記第１の落下防止手段から前記第２の落下防止手段へ向かって下方に傾斜している。
かかる形態とすることによって、棒状体の何れの位置に釣り糸を引掛けた場合であっても、重力によって釣り糸が第２の落下防止手段へ滑り落ち、第２の落下防止手段において釣り針を魚から外すことができる。
【００１４】
本考案の好ましい形態では、前記第１の落下防止手段が、前記棒状体が上方に向かって伸び、再び下方に折り返すように構成されたループ部である。
かかる形態の釣り針外し器においては、ループ部を釣り糸がまたぎやすいため、棒状体に釣り糸を引掛ける操作が容易になる。
【００１５】
本考案の好ましい形態においては、前記棒状体が、前記固定体に設けられた穴に挿通することによって、前記固定体と連結されている。
かかる形態の本考案は、構造が簡便であるため製造が容易である。
【考案の効果】
【００１６】
本考案の釣り針外し器によれば、魚に手を触れることなく、釣り針から魚を外すことができる。そして、棒状体に釣り糸を引掛ける際に、棒状体の端部から釣り糸が滑り落ちない。
【図面の簡単な説明】
【００１７】
【図１】実施例１の釣り針外し器の斜視図。
【図２】実施例１の釣り針外し器の棒状体を連結する前の固定体を表す図。
【図３】実施例１の釣り針外し器を釣った魚を入れる容器に固定した状態を表す図。
【図４】実施例１の釣り針外し器を用いて、釣った魚から釣り針を外す工程を説明する図。
【図５】実施例１の釣り針外し器の折り返し部において、魚から釣り針を外す様子を表す図。
【図６】実施例２の釣り針外し器を表す図。
【考案を実施するための形態】
【００１８】
本考案は、釣り上げた魚を入れる容器に固定可能な固定手段を有する固定体と、
前記固定体と連結され、釣り糸を引掛けることができる棒状体と、を備える釣り針外し器であって、
前記固定体を前記容器に固定した際に、前記棒状体は、前記容器の上方に位置し、
前記棒状体の前記固定体側に、前記釣り糸が滑り落ちることを防止する第１の落下防止手段を備え、
前記棒状体の前記固定体側とは反対側に、前記釣り糸が滑り落ちることを防止する第２の落下防止手段を備えることを特徴とする、釣り針外し器である。
以下、本考案についてさらに詳述する。
【００１９】
＜１＞固定体
本考案における固定体は、釣り上げた魚を入れる容器に固定可能な固定手段を有する。該容器に固定可能であれば、固定体及び固定手段の態様は特に限定されない。
好ましくは、該容器の淵部を挟んで固定することができるクランプが固定手段として例示できる。
【００２０】
＜２＞棒状体
本考案における棒状体は、前記固定体と連結され、釣り糸を引掛けることができるものであれば、その態様は特に限定されない。
棒状体の形状は直線であっても、曲線であっても良いが、好ましくは直線とする。
棒状体の断面の形状は、特に限定されず、多角形であっても良いが、特に好ましくは円形である。
棒状体の太さは、使用される釣り針が引っ掛かることができる太さであることが好ましい。
棒状体の長さは本考案の効果を損なわない程度であれば特に限定されない。好ましくは本考案の釣り針外し器を固定する容器の開口部の直径よりも短く設定する。より好ましくは、前記容器の開口部の半径と同程度に設定する。
【００２１】
棒状体は、固定体を前記容器に固定した際に、前記容器の開口部の上方に位置すれば、その位置の高さは特に制限されない。
この際に、棒状体が前記容器の開口部の作る平面に対して平行に設けても良いし、交差の関係になるように設けても良い。
好ましい実施の形態では、前記棒状体が、前記第１の落下防止手段から前記第２の落下防止手段へ向かって下方に傾斜するように構成する。
【００２２】
棒状体の前記固定体側には、第１の落下防止手段を備え、反対側に、第２の落下防止手段を備える。
本考案の好ましい実施の形態では、棒状体、第１の落下防止手段及び第２の落下防止手段が、１本の棒状部材から構成される。この場合の第１の落下防止手段及び第２の落下防止手段の態様は、下記＜３＞及び＜４＞の項目で説明する。
【００２３】
本考案の好ましい実施の形態では、前記棒状体を、固定体に設けられた穴に挿通することによって、前記固定体と連結する。かかる形態の本考案の釣り針外し器は、構造が簡便になり、製造が容易になる。
かかる実施の形態において、固定体に設けられる穴の数は、棒状体を固定することができれば特に限定されず、１個又は２個以上としても良い。
より好ましくは２個以上の穴を固定体に設けることによって、棒状体を複数回固定体に挿通させる。このような形態の本考案の釣り針外し器では、棒状体が強固に固定体に連結される。
【００２４】
＜３＞第１の落下防止手段
第１の落下防止手段は、棒状体の固定体側に設ける。第１の落下防止手段は、釣り糸が棒状体の固定体側の端部から滑り落ちることを防止することができれば、その態様は特に限定されない。
第１の落下防止手段としては、棒状体から上方、平行方向、又は斜め上方に延びる突起状の形態とすることが好ましい。この場合、第１の落下防止手段は棒状体とは別部材で構成しても良いし、棒状体と同一の部材で構成しても良い。
【００２５】
本考案の好ましい実施の形態では、棒状体と第１の落下防止手段を、１本の棒状部材から構成する。かかる場合には、第１の落下防止手段は、前記棒状体が上方に向かって伸び、再び下方に折り返すように構成されたループ部とすることが好ましい。
【００２６】
＜４＞第２の落下防止手段
第２の落下防止手段は、棒状体の固定体側とは反対側に設ける。第２の落下防止手段は、釣り糸が棒状体の固定体側とは反対側の端部から滑り落ちることを防止することができれば、その態様は特に限定されない。
第２の落下防止手段としては、棒状体から上方、平行方向、又は斜め上方に延びる突起状の形態とすることが好ましい。この場合、第１の落下防止手段は棒状体とは別部材で構成しても良いし、棒状体と同一の部材で構成しても良い。
【００２７】
本考案の好ましい実施の形態では、第２の落下防止手段は、棒状体の端部をＵ字状又はＶ字状に折り返してなる折り返し部とする。
折り返し部の形態は、上述したように、釣り糸が棒状体の固定体側とは反対側の端部から滑り落ちることを防止することができれば、特に限定されない。好ましくは、棒状体を、上方、平行方向、又は斜め上方に折り曲げることによって折り返し部を形成する。かかる実施の形態であれば、釣り糸が折り返し部における折り返し点において引っ掛かるため、棒状体の端部より釣り糸が滑り落ちることを防ぐことができる。
また、棒状体を下方又は斜め下方に折り曲げた後、さらにその端部を上方又は斜め上方に折り曲げるようにして、折り返し部を形成しても良い。かかる実施の形態であっても、釣り糸が棒状体の端部より滑り落ちることを防ぐことができる。
【００２８】
本考案の好ましい形態では、折り返し部における棒状体の端部が、上方に傾斜するように構成する。かかる形態の本考案によれば、釣り糸が棒状体の端部より滑り落ちることを防ぐことができる。この場合、棒状体を平行方向に折り曲げて折り返し部を形成し、折り返し部における棒状体の端部をさらに斜め上方に折り曲げるような構成とすることが好ましい。
【実施例】
【００２９】
以下、本考案の釣り針外し器の実施例について説明する。
＜実施例１＞
実施例１の釣り針外し器について図１〜５を参照して説明する。
実施例１の釣り針外し器は、固定手段としての機能を有する固定体１０と、固定体１０に連結された棒状体２０とを備える（図１参照）。この固定体１０には、クランプ本体１２と、クランプ本体１２にねじ結合されたボルト１１と、ボルト１１を回転操作するハンドル１３とを有する、いわゆるＣ型クランプが採用されている。
棒状体２０には、第１の落下防止手段としてループ部２１が、第２の落下防止手段として折り返し部２２が設けられており、これらは１本の棒状部材によって構成されている（図１参照）。折り返し部２２は棒状体２０の端部を平行方向にＵ字型に折り曲げることによって構成されており、さらにその端部は上方に傾斜するように折り曲げられ、傾斜部２２１が形成されている（図１参照）。
実施例１の釣り針外し器における固定体１０及び棒状体２０の素材は金属であるが、他の素材で構成しても良い。
【００３０】
実施例１の釣り針外し器は以下のように製造した。
固定体１０に貫通孔１２ａ及び１２ｂを設けた（図２参照）。そして、１本の棒状部材を折り曲げることによって貫通孔１２ａ及び１２ｂに貫通させ固定した。そして、該棒状部材をさらに折り曲げることによって、ループ部２１、折り返し部２２そして傾斜部２２１を形成することによって、実施例１の釣り針外し器を製造した。
【００３１】
次に実施例１の釣り針外し器の使用形態について説明する。
実施例１の釣り針外し器の固定体１０は、図３に示すように、釣った魚を入れる容器３０の開口部の淵にボルト１１を絞めることによって固定する。容器３０として、ここでは市販されている樹脂製のバケツを例示している。
固定体１０を容器３０に固定すると、図３に示すように棒状体２０が容器３０の上方に位置するようになる。実施例１の釣り針外し器においては、棒状体２０は容器３０の開口部によって形成される平面と平行になる。そして、折り返し部２２が容器３０の開口部の中心部付近に位置するようになる。
【００３２】
次に実施例１の釣り針外し器を使用して、釣った魚から釣り針を外す方法について図４及び５を参照しながら説明する。
まず、魚５が引掛かっている釣り針４２に結び付けられた釣り糸４１を、図４（ａ）に示すように棒状体２０に引掛ける。棒状体２０へ釣り糸４１を引掛ければ、ループ部２１及び折り返し部２２があるため、釣り糸４１が棒状体２０の端部から滑り落ちることは無い。
棒状体２０へ釣り糸４１を引掛けた後、釣り糸４１を引っ張ることで、魚５が引っ掛かっている釣り針４２を引き上げる（図４（ａ））。そのまま釣り糸４１を引き続けると、釣り針４２が棒状体２０にかかり、釣り針４２の先端が下方を向く。すると、魚５が自重によって釣り針４２から外れて落下し、容器３０へ入る（図４（ｂ））。
このように、実施例１の釣り針外し器によれば魚に触れずとも魚から釣り針を外すことができる。
【００３３】
また、釣り糸４１を引っ張る際に、図５に示すように釣り糸４１が折り返し部２２の折り返し点に位置するようにして引っ張ることがより好ましい。このような使用方法によれば、魚５が暴れたりすることによって釣り糸４１の位置が左右方向にぶれる等の不具合が起こらず、楽に魚５から釣り針４２を外すことが可能になる。
また、図３に示すように実施例１の釣り針外し器においては、折り返し部２２が容器３０の開口部の中央に位置する。そのため、上述のように、釣り糸４１を折り返し部２２の折り返し点において引っ張れば、魚５が容器３０の中央付近に落下するため、魚５が容器３０の外に落ちにくくなる。
【００３４】
＜実施例２＞
次に実施例２の釣り針外し器について、図６を参照しながら説明する。
実施例２の釣り針外し器においては、固定体１０を容器３０に固定した際に、棒状体２０が容器３０の中央に向かって傾斜するように設けられている（図６参照）。
実施例２の釣り針外し器では、図６に示すように棒状体２０が容器３０の中心に向かって傾斜している。そのため、図４に示すように釣り糸４１を棒状体２０に引掛けると、重力によって釣り糸４１が滑り落ち、棒状体２０の端部、すなわち折り返し部２２に引っ掛かる。つまり、実施例２の釣り針外し器によれば、棒状体２０の何れの位置に釣り糸４１を引掛けたとしても、折り返し部２２まで釣り糸４１が滑り落ちる。前述したように、折り返し部２２においては釣り糸４１が左右方向にぶれないため、釣り針４２から魚５を外しやすい。
したがって、実施例２の釣り針外し器は、魚５から釣り針４２を外し易い構造となっている。
また、棒状体２０は容器３０の中央部に向かって傾斜しているため、折り返し部２２において釣り４２から外した魚５は、容器３０の中央部に落下し、外に落ちにくい。
【産業上の利用可能性】
【００３５】
本考案は、手を使わずとも釣った魚から釣り針を外すことができる釣り針外し器を提供する。
【符号の説明】
【００３６】
１０  固定体
１１  ボルト
１２  クランプ本体
１２ａ、ｂ  貫通孔
１３  ハンドル
２０  棒状体
２１  ループ部（第１の落下防止手段）
２２  折り返し部（第２の落下防止手段）
２２１  傾斜部
３０  容器
４１  釣り糸
４２  釣り針
５  魚
【図１】
0003191386.tif 000003
【図２】
0003191386.tif 000004
【図３】
0003191386.tif 000005
【図４】
0003191386.tif 000006
【図５】
0003191386.tif 000007
【図６】
0003191386.tif 000008